(57)【要約】【課題】搭載されるシャドウマスクの機械的強度を向上しつつ、画面全域において表示品位の良好な陰極線管を提供することを目的とする。【解決手段】シャドウマスク主面に形成された電子ビーム通過孔の孔径は、シャドウマスク主面の中心部Ａから水平軸端部Ｃに向かうにしたがって単調に増加し、かつ、この孔径は、中心部Ａを原点とした水平軸方向の距離に対応する関数で設定され、この関数の微分関数ｆ’が中心部Ａから水平軸端部Ｃまでの間で極大値をもつように形成されたことを特徴とする。【選択図】    図８
2004227887.tif 000002
【特許請求の範囲】
【請求項１】
内面に蛍光体スクリーンが配置されたフェースパネルを含む外囲器と、
前記外囲器内に配設され、前記蛍光体スクリーンに向けて電子ビームを放出する電子銃構体と、
前記外囲器内で前記蛍光体スクリーンに対向して配置され、複数の電子ビーム通過孔を有するシャドウマスクと、を備えた陰極線管において、
前記電子ビーム通過孔の孔径は、前記シャドウマスクの中心部から長軸端部に向かうにしたがって単調に増加し、
かつ、前記孔径を、前記中心部を原点とした長軸方向の距離に対応する関数で近似した時、前記関数の微分関数が前記中心部から前記長軸端部までの間で極大値をもつように形成されたことを特徴とする陰極線管。
【請求項２】
内面に蛍光体スクリーンが配置されたフェースパネルを含む外囲器と、
前記外囲器内に配設され、前記蛍光体スクリーンに向けて電子ビームを放出する電子銃構体と、
前記外囲器内で前記蛍光体スクリーンに対向して配置され、複数の電子ビーム通過孔を有するシャドウマスクと、を備えた陰極線管において、
前記電子ビーム通過孔の長軸方向径は、前記シャドウマスクの中心部から長軸端部に向かうにしたがって単調に増加し、
かつ、前記長軸方向径を、前記中心部を原点とした長軸方向の距離に対応する関数で近似した時、前記関数の微分関数が前記中心部から前記長軸端部までの間で極大値をもつように形成されたことを特徴とする陰極線管。
【請求項３】
前記パネルは、ほぼ無限大の曲率半径を有する外面を備えたことを特徴とする請求項１または２に記載の陰極線管。
【請求項４】
前記シャドウマスクは、前記微分関数の極大値を前記中心部と前記長軸端部との中点より前記長軸端部側の位置でもつように形成された電子ビーム通過孔を有することを特徴とする請求項１または２に記載の陰極線管。
【請求項５】
前記シャドウマスクは、前記中心部と前記長軸端部との距離Ｌとするとき、前記微分関数の極大値を前記長軸端部からＬ／３の範囲内の位置でもつように形成された電子ビーム通過孔を有することを特徴とする請求項１または２に記載の陰極線管。
【発明の詳細な説明】
【０００１】
【発明の属する技術分野】
この発明は、陰極線管に係り、特に、カラー陰極線管に搭載されるシャドウマスクの電子ビーム通過孔の形状分布に関する。
【０００２】
【従来の技術】
一般的にカラー陰極線管は、フェースパネル内面に形成された蛍光体スクリーンに一定の距離を保つように配置されたシャドウマスクに代表される色選別電極を備えている。つまり、カラー陰極線管において、フェースパネル内面における曲面の曲率は、シャドウマスクの曲面の曲率が略一律のため、同様に略一律となっている。
【０００３】
また、シャドウマスクに対する電子ビームの入射角が小さい画面中心部に対して、入射角が大きくなる周辺部においては、シャドウマスクの微小なずれが電子ビームの蛍光体層へのランディングに大きく影響する。そのため、画面中心部よりも画面周辺部における蛍光体の配列間隔を大きくし、電子ビームの隣接する他色蛍光体層との余裕を大きくすることが一般的である。
【０００４】
そこで、従来のカラー陰極線管においては、シャドウマスクに形成された電子ビーム通過孔の孔径は、電子ビームの入射角及び蛍光体の配列間隔の分布に合せて設定され、シャドウマスク中心部から周辺部に向かうに連れて大きくなるように形成されている。
【０００５】
一方で、外面が平坦なフェースパネルを具備するカラー陰極線管では、シャドウマスクの曲面も平坦化が必要である。このようなシャドウマスクにおいて、機械的強度を確保するためには、中心部よりも周辺部における曲率が大きくなるように形成することが効果的である。すなわち、このようなシャドウマスクでは、中心部から中間部までの曲率を小さく設定し、中間部から周辺部までの曲率を大きく設定することで平坦化によるシャドウマスクの機械的強度の劣化を抑制している。
【０００６】
カラー陰極線管において、フェースパネル内面の曲面は、シャドウマスクの曲面と略相似形に形成することが必要である。このため、外面が平坦なフェースパネルを具備するカラー陰極線管においては、フェースパネル内面曲面も、中心部よりも周辺部における曲率が大きくなるように形成される（例えば、特許文献１参照。）。
【０００７】
ここで、電子銃構体から放出される電子ビームは、フェースパネル内面の対応する蛍光体上でフォーカスするように、電子銃構体内の電子レンズによって調整される。しかしながら、電子銃構体とフェースパネル内面との距離は、画面全域で一定とはならず、収差と呼ばれるフォーカスズレが生じる。このため、一般的に画面全域にて最適なフォーカス特性を得ることは非常に困難である。特に、上述したように、中心部よりも周辺部において曲率が大きいといった、非球面性の強いフェースパネル内面形状を有するカラー陰極線管では、収差も大きくなる傾向にある。
【０００８】
また、一般的には、画面中心部のフォーカス特性が画面周辺部よりも優先される。このため、画面周辺部における電子ビームは、画面中心部に対して必要以上に拡大され、その結果、例えば画面周辺部におけるある単位画面では赤色蛍光体層に照射するべき電子ビームの一部が隣接する緑色蛍光体層に漏れるといった現象が生じ、色純度の劣化を引き起こす。
【０００９】
しかしながら、画面周辺部で電子ビームサイズを適正化すると、画面中間部での電子ビームサイズが不足し輝度が低下する。このような傾向は、大型管及び広角偏向管において一層顕著である。
【００１０】
【特許文献１】
特開平１０−２４１６０４号公報
【００１１】
【発明が解決しようとする課題】
上述したように、従来のカラー陰極線管によれば、収差の影響によるビームスポットの歪、画面周辺部における電子ビームの拡大による色純度の劣化、画面中間部における電子ビームサイズの不足による輝度低下など、表示品位の劣化を招くことになる。
【００１２】
この発明は、上述した問題点に鑑みなされたものであって、その目的は、搭載されるシャドウマスクの機械的強度を向上しつつ、画面全域において表示品位の良好な陰極線管を提供することにある。
【００１３】
【課題を解決するための手段】
この発明の第１の様態による陰極線管は、
内面に蛍光体スクリーンが配置されたフェースパネルを含む外囲器と、
前記外囲器内に配設され、前記蛍光体スクリーンに向けて電子ビームを放出する電子銃構体と、
前記外囲器内で前記蛍光体スクリーンに対向して配置され、複数の電子ビーム通過孔を有するシャドウマスクと、を備えた陰極線管において、
前記電子ビーム通過孔の孔径は、前記シャドウマスクの中心部から長軸端部に向かうにしたがって単調に増加し、
かつ、前記孔径を、前記中心部を原点とした長軸方向の距離に対応する関数で近似した時、前記関数の微分関数が前記中心部から前記長軸端部までの間で極大値をもつように形成されたことを特徴とする。
【００１４】
この発明の第２の様態による陰極線管は、
内面に蛍光体スクリーンが配置されたフェースパネルを含む外囲器と、
前記外囲器内に配設され、前記蛍光体スクリーンに向けて電子ビームを放出する電子銃構体と、
前記外囲器内で前記蛍光体スクリーンに対向して配置され、複数の電子ビーム通過孔を有するシャドウマスクと、を備えた陰極線管において、
前記電子ビーム通過孔の長軸方向径は、前記シャドウマスクの中心部から長軸端部に向かうにしたがって単調に増加し、
かつ、前記長軸方向径を、前記中心部を原点とした長軸方向の距離に対応する関数で近似した時、前記関数の微分関数が前記中心部から前記長軸端部までの間で極大値をもつように形成されたことを特徴とする。
【００１５】
これらの陰極線管によれば、シャドウマスクに形成された電子ビーム通過孔の孔径またはその長軸方向径を、シャドウマスクの中心部から長軸端部に向かうにしたがって単調に増加させ、しかも、孔径または長軸方向径の増加関数の微分関数が、シャドウマスクの中心部から長軸端部までの間の箇所で極大値を持つように形成している。
【００１６】
これにより、画面中間部における電子ビームサイズの減少による輝度の低下を抑えながら画面周辺部での電子ビームサイズを適正化することができる。このため、電子ビームの一部が隣接する他の色の蛍光体層に漏れるといった現象を抑えることができ、色純度の劣化を防止することが可能となる。また、電子ビーム通過孔の孔径を必要最小限の大きさとすることで、シャドウマスクの機械的強度を向上することが可能となる。
【００１７】
近年の広角偏向化に伴うフォーカス設計の困難度の増加により、シャドウマスクの電子ビーム通過孔径を上述したような分布をもって形成することが一層重要となる。
【００１８】
【発明の実施の形態】
以下、この発明の一実施の形態に係る陰極線管について図面を参照して説明する。
【００１９】
図１に示すように、カラー陰極線管装置は、ガラスによって形成された真空外囲器１０を備えている。この真空外囲器１０は、実質的に矩形状のフェースパネル２２と、このフェースパネル２２に一体に接合されたファンネル２４とを有している。フェースパネル２２は、略矩形状の有効部２０と、有効部２０の周縁部から管軸Ｚ方向に沿って延出されたスカート部２１を有している。有効部２０の外面は、その曲率半径が１００００ｍｍ以上となるよう略平坦に形成されている。有効部２０の内面は、任意の曲面で構成されている。スカート部２１は、その内部における各コーナ部において内方に向かって突設されたスタッドピン３１を備えている。
【００２０】
蛍光体スクリーン２７は、フェースパネル２２の有効部２０の内面に形成されている。この蛍光体スクリーン２７は、図２に示すように、赤、緑、青にそれぞれ発光する垂直軸Ｖ方向に伸びたストライプ状の３色蛍光体層６２Ｒ、６２Ｇ、６２Ｂと、これらの３色蛍光体層の間を埋める光吸収層（ブラックストライプ）６１と、によって構成されている。なお、蛍光体スクリーン２７は、ドット状に配置された３色蛍光体層を備えて構成してもよい。
【００２１】
電子銃構体３６は、ファンネル２４の径小部に相当する円筒状のネック３４の内部に配置されている。この電子銃構体３６は、蛍光体スクリーン２７に向けて水平軸Ｈ方向に一列に配列された３電子ビーム３５Ｒ、３５Ｇ、３５Ｂを放出する。また、この電子銃構体３６は、フェースパネル２２の有効部２０の中心を通りフェースパネル２２に対してほぼ垂直に延びた管軸Ｚと略同軸的に配設されている。
【００２２】
色選別機能を有するシャドウマスクユニット２８は、真空外囲器１０の内部において蛍光体スクリーン２７に対向して配置されている。このシャドウマスクユニット２８は、電子銃構体３６から放出された３電子ビーム３５Ｒ、３５Ｇ、３５Ｂが通過するスリット状の複数の電子ビーム通過孔１８を有するシャドウマスク本体２９と、シャドウマスク本体２９を保持する略矩形枠状のマスクフレーム３０と、を備えている。このマスクフレーム３０は、支持具３２を介してスタッドピン３１に固定され、支持されている。磁気遮蔽体２３は、電子ビームが最も磁界の影響を受けやすいファンネル２４の内部においてマスクフレーム３０に接合されている。
【００２３】
偏向ヨーク３７は、ファンネル２４の径大部からネックに亘る外面に沿って配置されている。この偏向ヨーク３７は、電子銃構体３６から放出された３電子ビーム３５Ｒ、３５Ｇ、３５Ｂを水平軸Ｈ方向及び垂直軸Ｖ方向に偏向する非斉一な偏向磁界を発生する。この非斉一偏向磁界は、ピンクッション型の水平偏向磁界及びバレル型の垂直偏向磁界によって形成される。
【００２４】
このようなカラー陰極線管装置においては、図２に示すように、電子銃構体３６から放出された３電子ビーム３５Ｒ、３５Ｇ、３５Ｂは、シャドウマスク本体２９の電子ビーム通過孔１８付近でコンバージェンスしつつ、偏向ヨーク３７から発生された偏向磁界によって偏向される。
【００２５】
これにより、３電子ビーム３５Ｒ、３５Ｇ、３５Ｂは、シャドウマスクユニット２８を介して蛍光体スクリーン２７を水平軸Ｈ方向及び垂直軸Ｖ方向に走査する。このとき、各電子ビーム３５Ｒ、３５Ｇ、３５Ｂを整形して特定の色の蛍光体層６２Ｒ、６２Ｇ、６２Ｂにランディングすることにより、カラー画像が表示される。
【００２６】
上述したシャドウマスクユニット２８は、シャドウマスク本体２９の中心を通って延びる管軸Ｚと、この管軸Ｚに直交して延びる長軸すなわち水平軸（長軸）Ｈと、管軸Ｚ及び水平軸Ｈと直交して延びる短軸すなわち垂直軸（短軸）Ｖとを有する略矩形状に形成されている。
【００２７】
すなわち、シャドウマスク本体２９は、低熱膨張材（熱膨張係数：１．５Ｅ−６［ｍｍ／℃］）としてのアンバー材などによって形成されている。このシャドウマスク本体２９は、図３及び図４に示すように、多数のスリット状の電子ビーム通過孔１８を有する略矩形状のシャドウマスク主面２９１と、シャドウマスク主面２９１の周縁に連接し電子銃構体側に屈曲された略矩形枠状のスカート部２９２と、を備えて構成されている。また、このシャドウマスク本体２９は、シャドウマスク主面２９１の周縁に、水平軸Ｈに略平行な一対の長辺２９Ｌと、垂直軸Ｖに略平行な一対の短辺２９Ｓと、を有している。
【００２８】
シャドウマスク主面２９１は、中央部が蛍光体スクリーン２７側に突出するような所定の曲率を有する曲面状に形成されている。すなわち、フェースパネル２２の有効部２０における内面は、中央部の肉厚が周辺部より薄くなるような曲面である。また、シャドウマスク主面２９１は、フェースパネル２２の有効部２０における内面の曲率と略同等の曲率を有する。これにより、電子ビームのシャドウマスク本体２９上の通過点とフェースパネル２２内面に配置された蛍光体スクリーン２７上における照射点との距離（ｑ値）が略一定に維持される。
【００２９】
ところで、図５に示すように、シャドウマスク本体２９では、管軸Ｚと交差する中心部をＡとし、水平軸端部をＣとし、中心部Ａと周縁部Ｃとの間を中間部Ｂとする。周縁部Ｃは、シャドウマスク主面２９１において、水平軸Ｘにおける端部に相当する。このとき、中間部Ｂは、中心部Ａと水平軸端部Ｃとの中点、すなわち中心部Ａから水平軸端部Ｃまでの距離をＬとしたときのＬ／２に相当する点よりも水平軸端部Ｃ側の位置であることが好ましく、より望ましくは、水平軸端部ＣからＬ／３の範囲内である。
【００３０】
フェースパネルの外面がほぼ平坦なカラー陰極線管では、シャドウマスク本体２９の曲面も平坦にする必要があるため、機械的強度を確保することが困難となる。シャドウマスク本体２９における機械的強度を確保するためには、シャドウマスク主面２９１の周辺部の機械的強度を十分確保することが有効である。すなわち、シャドウマスク主面２９１の周辺部の機械的強度を確保するためには、シャドウマスク主面２９１において、中心部の曲率より周辺部の曲率を大きく設定する（中心部の曲率半径より周辺部の曲率半径が小さい）ことが有効である。
【００３１】
そこで、フェースパネルの外面がほぼ平坦なカラー陰極線管においては、一般的に、シャドウマスク主面２９１は、図６に示すように中心部Ａから中間部Ｂまでの間の平均曲率をαとし、中間部Ｂから長軸端部Ｃまでの間の平均曲率をβとするとき、β＞αとなるように形成されている。このようなシャドウマスク本体２９を搭載したカラー陰極線管では、ｑ値をほぼ一定に維持するために、フェースパネル有効部２０の内面２０Ａもシャドウマスク主面２９１と同様な曲率分布となる。
【００３２】
電子銃構体３６からフェースパネル有効部２０の内面までの距離が画面全域で一律であれば、電子ビームをフォーカスした際に収差は発生しない。つまり、電子銃構体３６から放出された電子ビームは、一定曲率のフォーカス面ＦＰにジャストフォーカスされる。
【００３３】
しかしながら、図６に示したような曲率分布を有するフェースパネル内面２０Ａの場合、電子銃構体３６からの距離が一律とならない。このため、画面全域において、電子ビームを蛍光体スクリーン上にジャストフォーカスすることができず、収差が発生する。つまり、画面全域にて最適なフォーカス特性を得ることが困難である。
【００３４】
カラー陰極線管における画像のフォーカス調整は、画面中央部に重点が置かれており、画面周辺部より優先して実施される。このため、画面周辺部における電子ビームは、画面中央部に対して必要以上に拡大されることになる。すなわち、電子銃構体から放出された電子ビームのサイズは、フォーカス面ＦＰで最小になる。カラー陰極線管において、画面中央部におけるフォーカス調整を優先した場合、画面中央部では、電子ビームサイズが適正化されるが、フォーカス面ＦＰを外れた画面周辺部では、上述した収差の影響などにより電子ビームサイズが必要以上に拡大してしまう。
【００３５】
そこで、画面中央部のフォーカス調整を優先しつつ、画面周辺部での電子ビームサイズを最適化することについて検討する。すなわち、シャドウマスク主面２９１の中間部Ｂ及び水平軸端部Ｃでの電子ビーム通過孔径を最適化することによって、画面周辺部での電子ビームサイズを最適化することができる。
【００３６】
まず、シャドウマスク主面２９１での水平軸端部Ｃでの電子ビーム通過孔径を最適化することを考える。すなわち、図７のｆＣに示すように、シャドウマスク主面２９１における電子ビーム通過孔の孔径（または水平方向径）が中心部Ａから水平軸端部Ｃに向かうにしたがって単調に増加し、しかも、電子ビーム通過孔の孔径（または水平方向径）を中心部Ａを原点とした水平軸方向の距離に対応する関数で近似した場合について検討する。なお、この関数ｆＣは、その微分関数が図８のｆ’Ｃに示すように単調増加であるものとする。
【００３７】
この場合、水平軸端部Ｃにおいて、電子ビーム通過孔径ｄＣを最適化できるものの、中間部Ｂにおいて必要な電子ビーム通過孔径ｄＢを満足することができない。このため、画面周辺部のうち、シャドウマスク主面２９１の中間部Ｂ付近を通過して蛍光体層に到達した電子ビームは、蛍光体層の幅に対してサイズが不足する。これにより、蛍光体層を十分に発光させることができず、画面周辺部における輝度が低下する。
【００３８】
続いて、シャドウマスク主面２９１における中間部Ｂでの電子ビーム通過孔径を最適化することを考える。すなわち、図７のｆＢに示すように、シャドウマスク主面２９１における電子ビーム通過孔の孔径（または水平方向径）が中心部Ａから水平軸端部Ｃに向かうにしたがって単調に増加し、しかも、電子ビーム通過孔の孔径（または水平方向径）を中心部Ａを原点とした水平軸方向の距離に対応する関数で近似した場合について検討する。なお、この関数ｆＢは、その微分関数が図８のｆ’Ｂに示すように単調増加であるものとする。
【００３９】
この場合、中間部Ｂにおいて、電子ビーム通過孔径ｄＢを最適化できるものの、水平軸端部Ｃにおいて必要な電子ビーム通過孔径ｄＣより拡大しすぎてしまう。このため、画面周辺部のうち、シャドウマスク主面２９１の水平軸端部Ｃ付近を通過して蛍光体層に到達した電子ビームは、蛍光体層の幅に対してサイズが大きくなりすぎる。これにより、電子ビームの一部が隣接する他の色の蛍光体層に漏れるといった現象が生じ、色純度の劣化を引き起こす。さらに、必要以上に大きな電子ビーム通過孔を形成してしまうと、昨今のカラー陰極線管の大型化や、ワイド化、広偏向角化、シャドウマスクの薄肉化等に加え、シャドウマスクの機械的強度の劣化を招く。
【００４０】
そこで、この実施の形態では、シャドウマスク主免２９１の中間部Ｂ及び水平軸端部Ｃでの電子ビーム通過孔径を同時に最適化することを考える。すなわち、図７のｆに示すように、シャドウマスク主面２９１における電子ビーム通過孔の孔径（または水平方向径）が中心部Ａから水平軸端部Ｃに向かうにしたがって単調に増加し、しかも、電子ビーム通過孔の孔径（または水平方向径）を中心部Ａを原点とした水平軸方向の距離に対応する関数で近似した場合について検討する。なお、この関数ｆは、その微分関数が図８のｆ’に示すように、中心部Ａから水平軸端部Ｃまでの間で極大値を持つような分布であるものとする。
【００４１】
すなわち、シャドウマスク主面２９１は、微分関数の極大値を中心部Ａと水平軸端部Ｃとの中点より水平軸端部Ｃ側の位置でもつように形成された電子ビーム通過孔を有している。より望ましくは、シャドウマスク主面２９１は、中心部Ａと水平軸端部Ｃとの距離Ｌとするとき、微分関数の極大値を水平軸端部ＣからＬ／３の範囲内の位置でもつように形成された電子ビーム通過孔を有している。
【００４２】
これにより、中間部Ｂにおいて、電子ビーム通過孔径ｄＢを最適化しつつ、水平軸端部Ｃにおいて、電子ビーム通過孔径ｄＣを最適化することができる。このため、画面周辺部において、シャドウマスク主面２９１の中間部Ｂ付近及び水平軸端部Ｃ付近を通過して蛍光体層に到達した電子ビームは、蛍光体層の幅に対して過不足のない最適なサイズとなる。これにより、画面周辺部における輝度の低下を招くことがなく、しかも、色純度の劣化を防止することができる。また、シャドウマスク主面２９１において、必要以上のサイズの電子ビーム通過孔が形成されることがないため、シャドウマスク主面２９１の機械的強度の劣化を抑制することができる。
【００４３】
なお、微分関数が図８のｆ’のような分布を有する具体例として、フェースパネル有効部２０の対角寸法が８６０ｍｍのカラー陰極線管において、シャドウマスク主面２９１の水平軸Ｈ上における中心部Ａでの電子ビーム通過孔径（水平方向径）は０．１６０ｍｍであり、中心部Ａから２１５ｍｍ程度離れた中間部Ｂ付近での電子ビーム通過孔径は０．１８５ｍｍであり、中心部Ａから３７５ｍｍ程度離れた水平軸端部Ｃ付近での電子ビーム通過孔径は０．２００ｍｍである。
【００４４】
このようなカラー陰極線管において、画面中間部での輝度は１４０ｃｄ／ｃｍ２であり、画面中央部の輝度とほぼ同等であり、関数ｆＣで問題となる画面中間部での輝度低下が改善された。また、シャドウマスクの機械的強度は９．０ｋｇｆ／ｍ２であり、微分関数が図８のｆ’Ｂのような分布を有するシャドウマスクと比較して、１５％機械的強度を向上することができた。
【００４５】
なお、上述した実施の形態では、水平軸上における電子ビーム通過孔の孔径の分布について説明したが、水平軸上に限らず、中心部Ａから垂直軸方向に１／２Ｖ（Ｖは画面の垂直方向径）だけ離れた範囲内において、上述した孔径の分布であることが望ましい。
【００４６】
以上説明したように、この実施の形態に係る陰極線管によれば、シャドウマスク主面に形成される電子ビーム通過孔の孔径（特に水平軸方向径）を、中間部及び水平軸端部で最適化する。これにより、画面中央部を優先して画像のフォーカス調整を行ったとしても、シャドウマスク主面の中間部及び水平軸端部を通過した電子ビームにより、画面周辺部にフォーカスされた電子ビームサイズを適正化することができる。これにより、画面周辺部での輝度の低下や色純度の劣化といった問題を改善することができ、表示品位を向上することができる。
【００４７】
また、シャドウマスク主面の曲面を、中心部から中間部までの間の平均曲率より中間部から水平軸端部までの間の平均曲率が大きくなるように形成し、しかも、中間部付近及び水平軸端部付近に形成される電子ビーム通過孔の孔径を最適化したことにより、シャドウマスクの機械的強度を向上することができる。
【００４８】
特に、フェースパネルの外面における対角方向の曲率半径が１００００ｍｍ以上のほぼ平坦なカラー陰極線管において効果が大きい。
【００４９】
なお、この発明は上記実施の形態に限定されるものではなく、その実施の段階ではその要旨を逸脱しない範囲で種々な変形・変更が可能である。
【００５０】
【発明の効果】
以上説明したように、この発明によれば、搭載されるシャドウマスクの機械的強度を向上しつつ、画面全域において表示品位の良好な陰極線管を提供することができる。
【図面の簡単な説明】
【図１】図１は、この発明の一実施の形態に係るカラー陰極線管装置の構造を概略的に示す図である。
【図２】図２は、図１に示したカラー陰極線管装置における電子ビームの軌道を説明するための図である。
【図３】図３は、図１に示したカラー陰極線管装置に適用されるシャドウマスクユニットの構造を概略的に示す図である。
【図４】図４は、図３に示したシャドウマスクユニットの断面構造を概略的に示す図である。
【図５】図５は、図４に示したシャドウマスク主面の構造を概略的に示す正面図である。
【図６】図６は、シャドウマスク主面及びフェースパネル内面への電子ビームのフォーカス状態を説明するための図である。
【図７】図７は、シャドウマスク主面における中心部からの水平軸方向距離に対する電子ビーム通過孔径の関係を説明するための図である。
【図８】図８は、図７に示した各関数の微分関数の分布を概略的に示す図である。
【符号の説明】
１０…外囲器、２０…有効部、２２…パネル、２７…蛍光体スクリーン、２８…シャドウマスクユニット、２９…シャドウマスク本体、２９１…シャドウマスク主面、２９２…スカート部、３０…マスクフレーム、３５（Ｒ、Ｇ、Ｂ）…電子ビーム、３６…電子銃構体。
【図１】
2004227887.tif 000003
【図２】
2004227887.tif 000004
【図３】
2004227887.tif 000005
【図４】
2004227887.tif 000006
【図５】
2004227887.tif 000007
【図６】
2004227887.tif 000008
【図７】
2004227887.tif 000009
【図８】
2004227887.tif 000010